(57)【要約】【課題】  従来、デジタル放送受信装置などの受信情報出力装置において、受信した文字情報（例えば、番組の説明）を表示する技術がある。しかし、そのような受信情報出力装置では、受信した文字情報を単に文字として表示することはできるが、使用者が、受信している番組、もしくは受信しようとする番組の内容を素早く直感的に把握することは難しい。本発明の目的は、受信情報出力装置において、受信している番組、もしくは受信しようとする番組の内容を容易に把握することができる技術を提供することにある。【解決手段】  本発明の受信情報出力装置は、キーワードに対応付けられた加工情報を予め記憶する記憶手段と、番組ごとに受信したテキスト情報にキーワードが含まれていれば加工情報に従って番組のアイコンを加工して表示する手段と、を有する。【選択図】図１
2011087102.tif 000002
【特許請求の範囲】
【請求項１】
キーワードと、画像情報の加工に用いる加工情報と、を対応付けて記憶する記憶手段と、
デジタルラジオ放送の番組の説明を含む番組情報と、当該番組を表す画像情報と、を受信する情報受信手段と、
前記情報受信手段により受信した前記番組情報に含まれるキーワードを特定するキーワード特定手段と、
前記キーワード特定手段により特定した前記キーワードに対応付けられた加工情報を前記記憶手段から取得する加工情報取得手段と、
前記加工情報取得手段により取得した前記加工情報を用いて、前記情報受信手段により受信した前記画像情報を加工する画像情報加工手段と、
前記画像情報加工手段により加工された画像情報を表示する画像情報表示手段と、
を備えることを特徴とする受信情報出力装置。
【請求項２】
請求項１に記載の受信情報出力装置であって、
前記加工情報は、前記画像情報に重畳させる画像の指定を含み、
前記画像情報加工手段は、前記加工情報にて指定された画像を前記情報受信手段により受信した前記画像情報に重畳させる、
ことを特徴とする受信情報出力装置。
【請求項３】
請求項２に記載の受信情報出力装置であって、
前記加工情報は、さらに、前記加工情報にて指定された画像を前記画像情報に重畳させる位置および大きさの指定を含み、
前記画像情報加工手段は、前記加工情報にて指定された画像を、指定された位置および大きさで前記情報受信手段により受信した前記画像情報に重畳させる、
ことを特徴とする受信情報出力装置。
【請求項４】
請求項２または３に記載の受信情報出力装置であって、
前記記憶手段に記憶されたキーワードには、優先順位が対応づけられており、
前記画像情報加工手段は、前記加工情報にて指定された画像を重畳させる処理において、前記指定された画像を、前記キーワードに対応付けられた優先順位に応じて重畳させる、
ことを特徴とする受信情報出力装置。
【請求項５】
請求項１〜４のいずれか一項に記載の受信情報出力装置であって、
前記記憶手段に記憶されたキーワードは、所定のジャンルに分類して記憶されており、
前記キーワード特定手段は、前記番組情報のジャンルに対応するキーワードを特定する、
ことを特徴とする受信情報出力装置。
【請求項６】
請求項１〜５のいずれか一項に記載の受信情報出力装置であって、さらに、
前記デジタルラジオ放送の番組選択を受け付ける番組選択受付手段を備え、
前記画像情報表示手段は、前記番組選択受付手段により受け付けた番組に対応する前記加工された画像情報を表示する、
ことを特徴とする受信情報出力装置。
【請求項７】
受信情報出力装置による受信情報出力方法であって、
前記受信情報出力装置は、
キーワードと、画像情報の加工に用いる加工情報と、を対応付けて記憶する記憶手段を備え、
デジタルラジオ放送の番組の説明を含む番組情報と、当該番組を表す画像情報と、を受信する情報受信手順と、
前記情報受信手順により受信した前記番組情報に含まれるキーワードを特定するキーワード特定手順と、
前記キーワード特定手順により特定した前記キーワードに対応付けられた加工情報を前記記憶手段から取得する加工情報取得手順と、
前記加工情報取得手段により取得した前記加工情報を用いて、前記情報受信手段により受信した前記画像情報を加工する画像情報加工手順と、
前記画像情報加工手順により加工された画像情報を表示する画像情報表示手順と、
を実行することを特徴とする受信情報出力方法。
【請求項８】
請求項７に記載の受信情報出力方法であって、
前記加工情報は、前記画像情報に重畳させる画像の指定を含み、
前記画像情報加工手順では、前記加工情報にて指定された画像を前記情報受信手順により受信した前記画像情報に重畳させる、
ことを特徴とする受信情報出力方法。
【請求項９】
請求項８に記載の受信情報出力方法であって、
前記加工情報は、さらに、前記加工情報にて指定された画像を前記画像情報に重畳させる位置および大きさの指定を含み、
前記画像情報加工手順では、前記加工情報にて指定された画像を、指定された位置および大きさで前記情報受信手順により受信した前記画像情報に重畳させる、
ことを特徴とする受信情報出力方法。
【請求項１０】
請求項８または９に記載の受信情報出力方法であって、
前記記憶手段に記憶されたキーワードには、優先順位が対応づけられており、
前記画像情報加工手順では、前記加工情報にて指定された画像を重畳させる処理において、前記指定された画像を、前記キーワードに対応付けられた優先順位に応じて重畳させる、
ことを特徴とする受信情報出力方法。
【請求項１１】
請求項７〜１０のいずれか一項に記載の受信情報出力方法であって、
前記記憶手段に記憶されたキーワードは、所定のジャンルに分類して記憶されており、
前記キーワード特定手順では、前記番組情報のジャンルに対応するキーワードを特定する、
ことを特徴とする受信情報出力方法。
【請求項１２】
請求項７〜１１のいずれか一項に記載の受信情報出力方法であって、さらに、
前記デジタルラジオ放送の番組選択を受け付ける番組選択受付手段を備え、
前記画像情報表示手順では、前記番組選択受付手段により受け付けた番組に対応する前記加工された画像情報を表示する、
ことを特徴とする受信情報出力方法。
【発明の詳細な説明】
【技術分野】
【０００１】
本発明は、受信情報出力装置の技術に関するものである。
【背景技術】
【０００２】
従来、デジタル放送受信装置などの受信情報出力装置において、受信した文字情報（例えば、番組情報）を表示する技術がある。
【０００３】
特許文献１には、このような受信情報出力装置についての技術が記載されている。
【先行技術文献】
【特許文献】
【０００４】
【特許文献１】特開２００７−９６６５０号公報
【発明の概要】
【発明が解決しようとする課題】
【０００５】
しかし、上記のような受信情報出力装置では、受信した文字情報を単に文字として表示することはできるが、使用者が、受信している番組、もしくは受信しようとする番組の内容を素早く直感的に把握することは難しい。
【０００６】
本発明の目的は、受信情報出力装置において、受信している番組、もしくは受信しようとする番組の内容を容易に把握することができる技術を提供することにある。
【課題を解決するための手段】
【０００７】
上記課題を解決すべく、本発明の受信情報出力装置は、キーワードと、画像情報の加工に用いる加工情報と、を対応付けて記憶する記憶手段と、デジタルラジオ放送の番組の説明を含む番組情報と、当該番組を表す画像情報と、を受信する情報受信手段と、前記情報受信手段により受信した前記番組情報に含まれるキーワードを特定するキーワード特定手段と、前記キーワード特定手段により特定した前記キーワードに対応付けられた加工情報を前記記憶手段から取得する加工情報取得手段と、前記加工情報取得手段により取得した前記加工情報を用いて、前記情報受信手段により受信した前記画像情報を加工する画像情報加工手段と、前記画像情報加工手段により加工された画像情報を表示する画像情報表示手段と、を備えることを特徴とする。
【０００８】
また、本発明の受信情報出力装置による受信情報出力方法では、前記受信情報出力装置は、キーワードと、画像情報の加工に用いる加工情報と、を対応付けて記憶する記憶手段を備え、デジタルラジオ放送の番組の説明を含む番組情報と、当該番組を表す画像情報と、を受信する情報受信手順と、前記情報受信手順により受信した前記番組情報に含まれる前記キーワードを特定するキーワード特定手順と、キーワード特定手順により特定した前記キーワードに対応付けられた加工情報を前記記憶手段から取得する加工情報取得手順と、前記加工情報取得手段により取得した前記加工情報を用いて、前記情報受信手段により受信した前記画像情報を加工する画像情報加工手順と、前記画像情報加工手順により加工された画像情報を表示する画像情報表示手順と、を実行することを特徴とする。
【発明の効果】
【０００９】
本発明によると、受信情報出力装置において、受信している番組、もしくは受信しようとする番組の内容を容易に把握することができる技術を提供することができる。
【図面の簡単な説明】
【００１０】
【図１】図１は、本発明の一実施形態が適用された車載用ナビゲーション装置の概略構成図である。
【図２】図２は、リンクテーブルの構成例を示す図である。
【図３】図３は、加工情報テーブルの構成例を示す図である。
【図４】図４は、受信メタデータの構成例を示す図である。
【図５】図５は、受信データの構成例を示す図である。
【図６】図６は、演算処理部の機能構成を示す図である。
【図７】図７は、アイコン表示処理のフロー図である。
【図８】図８は、アイコンの加工例を示す図である。
【図９】図９は、アイコン表示処理における画面例を示す図である。
【発明を実施するための形態】
【００１１】
以下に、本発明の一実施形態が適用された車載用ナビゲーション装置１００について、図面を参照して説明する。
【００１２】
図１は、本発明が適用された車載用ナビゲーション装置１００の概略構成図である。図示するように、車載用ナビゲーション装置１００は、演算処理部１と、ディスプレイ２と、記憶装置３と、音声入出力装置４（音声入力装置としてマイクロフォン４１、音声出力装置としてスピーカ４２）と、入力装置５と、ＲＯＭ装置６と、車速センサ７と、ジャイロセンサ８と、ＧＰＳ(Global Positioning System)受信装置９と、ＦＭ多重放送受信装置１０と、ビーコン受信装置１１と、デジタルラジオ放送受信装置１２と、を備えている。
【００１３】
演算処理部１は、様々な処理を行う中心的ユニットである。例えば各種センサ７,８やＧＰＳ受信装置９、ＦＭ多重放送受信装置１０、またはビーコン受信装置１１から出力される情報を基にして現在地を検出する。また、得られた現在地情報に基づいて、表示に必要な地図データを記憶装置３あるいはＲＯＭ装置６から読み出す。また、読み出した地図データをグラフィックス展開し、そこに現在地を示すマークを重ねてディスプレイ２へ表示する。また、記憶装置３あるいはＲＯＭ装置６に記憶されている地図データ等を用いて、ユーザから指示された出発地（現在地）と目的地とを結ぶ最適な経路（推奨経路）を探索する。また、スピーカ４２やディスプレイ２を用いてユーザを誘導する。
【００１４】
演算処理部１は、各デバイス間をバス２５で接続した構成である。演算処理部１は、数値演算及び各デバイスを制御するといった様々な処理を実行するＣＰＵ(Central Processing Unit)２１と、記憶装置３から読み出した地図データ、演算データなどを格納するＲＡＭ(Random Access Memory)２２と、プログラムやデータを格納するＲＯＭ(Read Only Memory)２３と、各種ハードウェアを演算処理部１に接続するインターフェイスであるＩ／Ｆ２４と、を有する。
【００１５】
ディスプレイ２は、演算処理部１で生成されたグラフィックス情報を表示するユニットである。ディスプレイ２は、液晶ディスプレイ、有機ＥＬディスプレイなどで構成される。
【００１６】
記憶装置３は、ＨＤＤ（Hard Disk Drive）や不揮発性メモリカードといった、少なくとも読み書きが可能な記憶媒体で構成される。
【００１７】
この記憶媒体には、通常の経路探索装置に必要な地図データ（地図上の道路を構成するリンクのリンクデータを含む）であるリンクテーブル２００と、加工情報テーブル３００と、が記憶されている。
【００１８】
図２は、リンクテーブル２００の構成を示す図である。リンクテーブル２００は、地図上の区画された領域であるメッシュの識別コード（メッシュＩＤ）２０１ごとに、そのメッシュ領域に含まれる道路を構成する各リンクのリンクデータ２０２を含んでいる。
【００１９】
リンクデータ２０２は、リンクの識別子であるリンクＩＤ２１１ごとに、リンクを構成する２つのノード（開始ノード、終了ノード）の座標情報２２２、リンクを含む道路の種別を示す道路種別２２３、リンクの距離を示すリンク長２２４、リンク旅行時間２２５、リンクを構成する２つのノードにそれぞれ接続するリンクのリンクＩＤ（接続リンクＩＤ）である開始接続リンク、終了接続リンク２２６、リンクを含む道路の通称（例えば、「MAIN」等）を示す通称２２７、等を含んでいる。
【００２０】
なお、ここでは、リンクを構成する２つのノードについて開始ノードと終了ノードとを区別することで、同じ道路の上り方向と下り方向とを、それぞれ別のリンクとして管理するようにしている。なお、リンク旅行時間２２５は、日時、天気などの条件ごとに対応付けられたリンク旅行時間であってもよい。
【００２１】
図３は、加工情報テーブル３００の構成を示す図である。加工情報テーブル３００は、キーワードと、アイコン画像の加工情報と、を対応付けて格納するテーブルである。
【００２２】
加工情報テーブル３００には、キーワードの優先順位を示す優先順位３０１と、文字情報であるキーワード３０２と、アイコンの加工内容や加工方法を示す加工情報３０３と、を含んでいる。
【００２３】
具体的には、優先順位３０１は、重複しない数で示される優先順位である。
【００２４】
キーワード３０２は、受信した情報から、受信した情報の内容を特徴付ける事項を特定する際に用いる文字情報である。例えば、「株価」や「気象」等の名称である。
【００２５】
加工情報３０３は、受信した情報がキーワード３０２を含む情報である場合に、アイコンを加工するのに用いる情報である。例えば、アイコンに重畳させる画像と、重畳させる位置、重畳させるアイコン面積の拡大／縮小比等である。
【００２６】
図１に戻って説明する。音声入出力装置４は、音声入力装置としてマイクロフォン４１と、音声出力装置としてスピーカ４２と、を備える。マイクロフォン４１は、使用者やその他の搭乗者が発した声などの車載用ナビゲーション装置１００の外部の音声を取得する。
【００２７】
スピーカ４２は、演算処理部１で生成された使用者へのメッセージを音声信号として出力する。マイクロフォン４１とスピーカ４２は、車両の所定の部位に、別個に配されている。ただし、一体の筐体に収納されていても良い。車載用ナビゲーション装置１００は、マイクロフォン４１及びスピーカ４２を、それぞれ複数備えることができる。
【００２８】
入力装置５は、使用者からの指示を使用者による操作を介して受け付ける装置である。入力装置５は、タッチパネル５１と、ダイヤルスイッチ５２と、その他のハードスイッチ（図示しない）であるスクロールキー、縮尺変更キーなどで構成される。
【００２９】
タッチパネル５１は、ディスプレイ２の表示面側に搭載され、表示画面を透視可能である。タッチパネル５１は、ディスプレイ２に表示された画像のＸＹ座標と対応したタッチ位置を特定し、タッチ位置を座標に変換して出力する。タッチパネル５１は、感圧式または静電式の入力検出素子などにより構成される。
【００３０】
ダイヤルスイッチ５２は、時計回り及び反時計回りに回転可能に構成され、所定の角度の回転ごとにパルス信号を発生し、演算処理部１に出力する。演算処理部１では、パルス信号の数から、回転角度を求める。
【００３１】
ＲＯＭ装置６は、ＣＤ-ＲＯＭやＤＶＤなどのＲＯＭ（Read Only Memory）やＩＣ（Integrated Circuit）カードといった、少なくとも読み取りが可能な記憶媒体で構成されている。この記憶媒体には、例えば、動画データや、音声データなどが記憶されている。
【００３２】
車速センサ７,ジャイロセンサ８およびＧＰＳ受信装置９は、車載用ナビゲーション装置１００において現在地（自車位置）を検出するために使用されるものである。
【００３３】
車速センサ７は、車速を算出するのに用いる値を出力するセンサである。ジャイロセンサ８は、光ファイバジャイロや振動ジャイロ等で構成され、移動体の回転による角速度を検出するものである。ＧＰＳ受信装置９は、ＧＰＳ衛星からの信号を受信し移動体とＧＰＳ衛星間の距離と距離の変化率を３個以上の衛星に対して測定することで移動体の現在位置、進行速度および進行方位を測定し、演算処理部１に送信するものである。
【００３４】
ＦＭ多重放送受信装置１０は、ＦＭ多重放送局から送られてくるＦＭ多重放送信号を受信する。ＦＭ多重放送には、ＶＩＣＳ（Vehicle Information Communication System：登録商標）情報の概略現況交通情報、規制情報、ＳＡ／ＰＡ（サービスエリア／パーキングエリア）情報、駐車場情報、天気情報などやＦＭ多重一般情報としてラジオ放送局が提供する文字情報などがある。
【００３５】
ビーコン受信装置１１は、光ビーコン、電波ビーコン等の信号を受信する。ビーコン等の信号には、ＶＩＣＳ情報の概略現況交通情報、規制情報、ＳＡ／ＰＡ（サービスエリア／パーキングエリア）情報、駐車場情報などがある。
【００３６】
デジタルラジオ放送受信装置１２は、デジタルラジオ放送局から送られてくるデジタルラジオ放送信号を受信する。デジタルラジオ放送として、従来のＡＭラジオ（中波）とＦＭラジオにデジタル信号を多重したＩＢＯＣ（In-band on-channel）を受信する。しかし、これに限らず、例えば、デジタルラジオ放送受信装置１２は、ＶＨＦ帯、ＵＨＦ帯、衛星等の放送波を用いたＩＳＤＢ（Integrated Services Digital Broadcasting、統合デジタル放送サービス）等により送信されるデジタル情報を受信するものであってもよい。
【００３７】
図４は、デジタルラジオ放送受信装置１２が受信する受信メタデータ４００の構成を示す図である。
【００３８】
受信メタデータ４００には、チャンネル４０１と、アイコン画像４０２と、テキスト情報４０３と、を含んでいる。
【００３９】
具体的には、チャンネル４０１は、ラジオの放送チャンネルを示す情報である。
【００４０】
アイコン画像４０２は、チャンネル４０１で識別される放送チャンネルで放送される番組のロゴマークのアイコン画像情報である。
【００４１】
テキスト情報４０３は、チャンネル４０１で識別される放送チャンネルで放送される番組の内容を説明する文字情報である。例えば、ニュース番組のトピックに関する情報や、スポーツ放送番組の対戦チームを特定する情報等を含む。
【００４２】
図５は、デジタルラジオ放送受信装置１２が受信する受信データ５００の構成を示す図である。
【００４３】
受信データ５００には、チャンネル５０１と、音声情報５０２と、を含んでいる。
【００４４】
具体的には、チャンネル５０１は、ラジオの放送チャンネルを示す情報である。
【００４５】
音声情報５０２は、チャンネル５０１で識別される放送チャンネルで放送される番組の音声情報である。
【００４６】
図６は、演算処理部１の機能ブロック図である。
【００４７】
図示するように、演算処理部１は、主制御部１０１と、入力受付部１０２と、出力処理部１０３と、アイコン生成部１０４と、コンテンツ再生部１０５と、を有する。
【００４８】
主制御部１０１は、様々な処理を行う中心的な機能部であり、処理内容に応じて、他の処理部を制御する。また、主制御部１０１は、車載用ナビゲーション装置１００の基本動作であるナビゲーション処理（例えば、交通情報の表示、現在位置の表示等）を実施する。
【００４９】
また、主制御部１０１は、デジタルラジオ放送受信装置１２を介して、デジタルラジオ放送を受信して、受信メタデータ４００と、受信データ５００と、を取得する。
【００５０】
入力受付部１０２は、タッチパネル５１およびダイヤルスイッチ５２を介して、使用者からの指示入力を受け付け、これを各処理部に受け渡す処理部である。
【００５１】
出力処理部１０３は、画面出力をディスプレイ２に表示させる機能部である。ディスプレイ２への表示が要求される画面データと表示候補を受け取り、指定された描画方式で、道路、その他の地図構成物や、現在地、目的地、推奨経路、メッセージ情報のためのダイアログなどを描画するように画面描画コマンドを生成する。そして、生成したコマンドを、ディスプレイ２に送信する。
【００５２】
アイコン生成部１０４は、受信した受信メタデータ４００に含まれるテキスト情報４０３に基づき、受信したアイコン画像４０２を加工する。その加工処理においては、受信したテキスト情報４０３を検索して所定のキーワード３０２が含まれている場合に、アイコン生成部１０４が受信したアイコン画像４０２に対して所定の加工を施す。
【００５３】
コンテンツ再生部１０５は、音声情報を読み込み、再生して出力する。例えば、スピーカ４２から音声を出力する。また、コンテンツ再生部１０５は、音声情報を含む映像情報を読み込み、再生して出力する。例えば、スピーカ４２から音声を出力するとともに、ディスプレイ２から映像を出力するよう出力処理部１０３等に指示する。
【００５４】
なお、主制御部１０１、入力受付部１０２、出力処理部１０３、アイコン生成部１０４、コンテンツ再生部１０５は、ＣＰＵ２１が所定のプログラムを読み込み実行することにより構築される。そのため、ＲＡＭ２２には、各機能部の処理を実現するためのプログラムが記憶されている。
【００５５】
なお、上記した各構成要素は、車載用ナビゲーション装置１００の構成を理解容易にするために、主な処理内容に応じて分類したものである。そのため、構成要素の分類の仕方やその名称によって、本願発明が制限されることはない。車載用ナビゲーション装置１００の構成は、処理内容に応じて、さらに多くの構成要素に分類することもできる。また、１つの構成要素がさらに多くの処理を実行するように分類することもできる。
【００５６】
また、各機能部は、ハードウェア（ＡＳＩＣ、ＧＰＵなど）により構築されてもよい。また、各機能部の処理が一つのハードウェアで実行されてもよいし、複数のハードウェアで実行されてもよい。
【００５７】
［動作の説明］次に、上記構成の車載用ナビゲーション装置１００の動作について説明する。
【００５８】
図７は、アイコン表示処理の流れを示すフロー図である。
【００５９】
主制御部１０１は、車載用ナビゲーション装置１００の使用者からチューナーの起動指示を受け付けた場合、またはチューナーの起動後にデジタルラジオ放送のメタデータを受信すると、本フローを開始する。
【００６０】
主制御部１０１は、デジタルラジオ放送において送信されるメタデータを、受信メタデータ４００として受信する（ステップＳ００１）。
【００６１】
次に、アイコン生成部１０４は、現在時刻において放送中の番組のテキスト情報４０３とアイコン画像４０２とを、ステップＳ００１にて受信した受信メタデータ４００から特定する（ステップＳ００２）。
【００６２】
次に、アイコン生成部１０４は、加工情報テーブル３００の優先順位３０１の値が最も小さい（優先順位が高い）キーワードを特定する（ステップＳ００３）。
【００６３】
具体的には、アイコン生成部１０４は、加工情報テーブル３００に格納されているレコードを、優先順位３０１の値をキーとして昇順にソートし、その先頭にあるレコードを特定する。そして、アイコン生成部１０４は、特定したレコードのキーワード３０２の値を取得する。
【００６４】
次に、アイコン生成部１０４は、各チャンネルについて、テキスト情報４０３にキーワードが含まれるか否かを判定する（ステップＳ００４）。
【００６５】
具体的には、アイコン生成部１０４は、各チャンネルについて、ステップＳ００２にて特定した現在放送している番組についてのテキスト情報４０３に、ステップＳ００３で特定したキーワード３０２の値が含まれるか否かを判定し、キーワードが含まれるチャンネルを特定する。
【００６６】
次に、アイコン生成部１０４は、キーワードが含まれるチャンネルについて、アイコン画像を加工する（ステップＳ００５）。
【００６７】
具体的には、アイコン生成部１０４は、ステップＳ００４にて特定したチャンネルごとに、ステップＳ００２で特定したアイコン画像４０２、または既に加工済みのアイコン画像があれば当該加工されたアイコン画像４０２を取得する。そして、アイコン生成部１０４は、ステップＳ００３で特定したキーワード３０２に対応する加工情報３０３を加工情報テーブル３００から取得する。
【００６８】
そして、アイコン生成部１０４は、加工情報３０３に従って、ステップＳ００４にて特定した各チャンネルのアイコン画像４０２を加工する。加工処理において、アイコン生成部１０４は、加工情報３０３に基づいて、重畳させる画像データを取得し、アイコン画像４０２の所定の位置に所定の大きさで重畳させる。
【００６９】
なお、アイコン生成部１０４は、アイコン画像４０２に既に重畳された画像データが存在し、新たに重畳させようとする画像データと重なってしまう場合、当該画像データ同士が重ならない程度に、後から重畳させる画像データ、すなわち優先順位が低いキーワードに対応する画像データの位置を変更して重畳させる。
【００７０】
次に、アイコン生成部１０４は、加工情報テーブル３００に未検索のキーワードがあるか否かを判定する（ステップＳ００６）。
【００７１】
加工情報テーブル３００に未検索のキーワードがある場合（ステップＳ００６で「Ｙｅｓ」）、アイコン生成部１０４は、加工情報テーブル３００のレコードのうち優先順位３０１が次の順位にあるレコードを特定して、ステップＳ００４に処理を戻す（ステップＳ００７）。
【００７２】
加工情報テーブル３００に未検索のキーワードがない場合（ステップＳ００６で「Ｎｏ」）、アイコン生成部１０４は、ステップＳ００５にて作成した各チャンネルのアイコン画像をＲＡＭ２２または記憶装置３に格納する（ステップＳ００８）。
【００７３】
次に、アイコン生成部１０４は、選択されたチャンネルのアイコン画像をディスプレイ２に表示させるよう出力処理部１０３に処理を依頼する（ステップＳ００９）。
【００７４】
具体的には、主制御部１０１は、使用者から選択を受け付けたチャンネルを特定する。そして、アイコン生成部１０４は、主制御部１０１が特定したチャンネルに対応するアイコン画像を、ステップＳ００８で格納したＲＡＭ２２または記憶装置３から取得する。この際、アイコン生成部１０４は、ステップＳ００８でＲＡＭ２２または記憶装置３にアイコン画像が格納されていなかった場合には、受信メタデータ４００の再生チャンネルに対応したアイコン画像４０２をそのまま取得する。
【００７５】
そして、アイコン生成部１０４は、取得したアイコン画像を拡大して表示する画面を出力するよう、出力処理部１０３に依頼する。出力処理部１０３は、予め定められた画面に当該アイコン画像を埋め込んで出力する。
【００７６】
以上が、アイコン表示処理のフローである。
【００７７】
次に、アイコン表示処理にて作成されるアイコン画像の例を、図８を用いて説明する。
【００７８】
図８（ａ）は、アイコン表示処理のステップＳ００２にて特定されたアイコン画像の例を示す図である。
【００７９】
図８（ａ）には、ニュース番組のロゴマークであるアイコン画像５００が示されている。また、図示しないが、アイコン画像５００に対応するニュース番組に関する受信メタデータ４００のテキスト情報４０３には、「株価」という文字と、「気象」という文字が含まれているものとする。
【００８０】
図８（ｂ）には、アイコン画像５００をアイコン表示処理によって加工して得られた加工済アイコン画像５１０が示されている。
【００８１】
加工済アイコン画像５１０には、アイコン画像５００の右下部分に、ドル袋をあらわすドル袋画像５１１と、アイコン画像５００の左上部分に、太陽をあらわす太陽画像５１２と、が重畳されている。
【００８２】
このように、アイコン生成部１０４は、アイコン画像５００に対応するニュース番組のテキスト情報に「株価」および「気象」というキーワードが含まれていたため、アイコン表示処理において、アイコン画像５００に対して、ドル袋画像５１１と、太陽画像５１２と、を重畳させ、加工済アイコン画像５１０を生成するものである。
【００８３】
図９は、アイコン表示処理によってディスプレイ２に出力される画面５５０の例を示している。画面５５０は、機能選択アイコン表示領域５６０と、再生中コンテンツ表示領域５７０と、再生対象表示領域５８０と、を備える。
【００８４】
機能選択アイコン表示領域５６０は、ＣＤアイコンやＭＤアイコン、チューナーアイコン等、使用者からの選択指示を受け付けるアイコンを備えている。機能選択アイコン表示領域５６０を介して受け付けた選択指示に従って、主制御部１０１はそれぞれの機能を実行する。
【００８５】
再生中コンテンツ表示領域５７０は、再生中のコンテンツがデジタルラジオ放送である場合には、加工済アイコン表示領域５７１と、再生中チャンネル情報表示領域５７２と、再生中チャンネルの受信メタデータ４００に含まれるテキスト情報４０３を表示するテキスト情報表示領域５７３と、を備えている。
【００８６】
このうち、加工済アイコン表示領域５７１には、再生中チャンネル情報表示領域５７２に対応する加工済アイコン５１０等が表示される。
【００８７】
また、再生対象表示領域５８０は、再生中のコンテンツがデジタルラジオ放送である場合には、選局ボタン表示領域５８１と、チャンネルに応じたアイコン画像表示領域５８２と、選局送りボタン表示領域５８４と、を備える。
【００８８】
なお、選局ボタン表示領域５８１またはアイコン画像表示領域５８２の領域は、各局指定ボタン５８３Ａ〜５８３Ｅとして、使用者から再生する放送局の選択を受け付ける。
【００８９】
選局送りボタン表示領域５８４は、使用者から入力を受け付けると、表示している放送局に続く他の放送局に関して、再生対象表示領域５８０に表示するように表示を更新する。
【００９０】
以上が、本発明の実施形態である。
【００９１】
このように、本発明の実施形態によると、アイコン表示処理を実施することで、デジタルラジオ放送の番組のメタ情報に基づいて、番組のロゴマーク等のアイコンを加工して、番組の内容を直感的に示すことができる。そのため、使用者は番組の内容を容易に把握することができる。
【００９２】
本発明は、上記実施形態に制限されない。上記実施形態は、本発明の技術的思想の範囲内で様々な変形が可能である。
【００９３】
例えば、上記実施形態では、アイコン表示処理において、全てのキーワードの合致を判定して、アイコン画像を加工しているが、これに限られず、一つのアイコンに対して重畳させる画像の数を所定の数（例えば、右下、右上、左上、左下、中央、の５つ等）に限定するようにしてもよい。
【００９４】
このようにすることで、重畳させる画像の数が多くなりすぎたために表示が複雑になり、番組の内容について使用者の混乱を招くことを防ぐことができる。
【００９５】
また例えば、加工情報テーブル３００を番組のジャンルに応じて用意しておき、アイコン表示処理においては、番組ごとに、番組のジャンルに合致する加工情報テーブル３００を用いてアイコン画像を加工するようにしてもよい。
【００９６】
このようにすることで、関係の薄いキーワードの検索量を減らすことができるため、アイコン表示処理の応答を速くすることが可能となる。
【００９７】
また例えば、上記実施形態では、アイコン表示処理において、画面５５０のアイコン画像表示領域５８２に表示するアイコン画像として、受信メタ情報４０に含まれるアイコン画像４０２を表示しているが、これに限られない。例えば、ステップＳ００８で格納した加工済アイコン５１０を表示するようにしてもよい。
【００９８】
このようにすることで、使用者は、選局前に、各チャンネルでどのような内容の番組が放送されているのかを把握することができるようになる。そのため、使用者の利便性を高めることができる。
【００９９】
なお、上記の実施形態では、本発明を車載用ナビゲーション装置に適用した例について説明したが、本発明は車載用ナビゲーション装置以外の受信情報出力装置にも適用することができる。
【符号の説明】
【０１００】
１：演算処理部、２：ディスプレイ、３：記憶装置、４：音声出入力装置、５：入力装置、６：ＲＯＭ装置、７：車速センサ、８：ジャイロセンサ、９：ＧＰＳ受信機、１０：ＦＭ多重放送受信装置、１１：ビーコン受信装置、１２：デジタルラジオ放送受信装置、２１：ＣＰＵ、２２：ＲＡＭ、２３：ＲＯＭ、２４：Ｉ／Ｆ、２５：バス、４１：マイクロフォン、４２：スピーカ、５１：タッチパネル、５２：ダイヤルスイッチ、１００：車載用ナビゲーション装置、１０１：主制御部、１０２：入力受付部、１０３：出力処理部、１０４：アイコン生成部、１０５：コンテンツ再生部、２００：リンクテーブル、３００：加工情報テーブル、４００：受信メタデータ、５００：受信データ
【図１】
2011087102.tif 000003
【図２】
2011087102.tif 000004
【図３】
2011087102.tif 000005
【図４】
2011087102.tif 000006
【図５】
2011087102.tif 000007
【図６】
2011087102.tif 000008
【図７】
2011087102.tif 000009
【図８】
2011087102.tif 000010
【図９】
2011087102.tif 000011